【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
スピーカ装置に接続可能なスピーカ駆動装置であって、
入力音声信号を増幅する増幅部と、
前記入力音声信号の電気音響特性を補正する補正部と、
前記スピーカ装置に送信する電源信号を出力する電源供給部と、
前記スピーカ装置から、前記スピーカ装置の電気音響特性データに係るデータ信号を受信する受信部と、
前記電気音響特性データにもとづいて前記入力音声信号の電気音響特性を補正するように前記補正部を制御する制御部と、
前記増幅部、前記電源供給部及び前記受信部の何れかと、前記スピーカ装置に接続される入出力部とを選択的に接続する選択部とを有することを特徴とするスピーカ駆動装置。
【請求項２】
スピーカ装置に接続可能なスピーカ駆動装置であって、
入力音声信号を増幅する増幅部と、
前記増幅部の出力電力を制限する出力制限部と、
前記スピーカ装置に送信する電源信号を出力する電源供給部と、
前記スピーカ装置から、前記スピーカ装置の最大入力電力データに係るデータ信号を受信する受信部と、
前記最大入力電力データにもとづいて、増幅された入力音声信号の電力が所定の制限値以下になるように前記出力制限部を制御する制御部と、
前記出力制限部、前記電源供給部及び前記受信部の何れかと、前記スピーカ装置に接続される入出力部とを選択的に接続する選択部とを有することを特徴とするスピーカ駆動装置。
【請求項３】
前記データ信号は、前記電源信号を前記電気音響特性データ及び／または前記最大入力電力データにもとづいて変換したパルス信号であって、
前記電源供給部と前記選択部との間に配置されたインピーダンス部を介さずに前記パルス信号が前記受信部に入力することを特徴とする請求項１または２記載のスピーカ駆動装置。
【請求項４】
前記増幅部と前記電源供給部とは、デジタルアンプにより構成されることを特徴とする請求項１または２記載のスピーカ駆動装置。
【請求項５】
前記スピーカ装置が接続されたことを検出する接続検出部を有し、前記制御部は、前記接続検出部の出力にもとづいて、前記選択部を制御することを特徴とする請求項１または２記載のスピーカ駆動装置。
【請求項６】
スピーカ駆動装置に接続可能なスピーカ装置であって、
前記スピーカ駆動装置から受信した電源信号を直流信号に変換する電源変換部と、
前記スピーカ装置の電気音響特性データ及び最大入力電力データの少なくとも何れかを記憶する記憶部と、
前記直流信号を電源として、前記電気音響特性データ及び最大入力電力データの少なくとも何れかを前記記憶部より読み出して、前記スピーカ駆動装置にデータ信号として送信する送信部とを有することを特徴とするスピーカ装置。
【請求項７】
前記電源変換部は、前記電源信号の周波数帯を制限するフィルタ部、前記フィルタ部を通した電源信号を直流信号に変換する検波部及び該検波部を通した電源信号を蓄積する蓄電部とからなることを特徴とする請求項６記載のスピーカ装置。
【請求項８】
スピーカ装置に接続可能なスピーカ駆動装置の制御方法であって、
前記スピーカ装置に電源信号を送信するステップと、
前記電源信号を受信してデータ信号送信可能となったスピーカ装置から、スピーカ装置のデータ信号に係る電気音響特性データを取得するステップと、
前記電機音響特性データにもとづいて、入力音声信号の電気音響特性を補正するステップと、
電気音響特性が補正された入力音声信号を増幅するステップと、
前記スピーカ装置への増幅された入力音声信号の出力と、前記スピーカ装置への前記電源信号の出力と、前記スピーカ装置からの前記データ信号の受信とを、選択的に切り替えるステップとを有することを特徴とするスピーカ駆動装置の制御方法。
【請求項９】
スピーカ装置に接続可能なスピーカ駆動装置の制御方法であって、
入力音声信号を増幅するステップと、
前記スピーカ装置に電源信号を送信するステップと、
前記電源信号を受信してデータ信号送信可能となったスピーカ装置から、スピーカ装置のデータ信号により送信されるスピーカ装置の最大入力電力データを取得するステップと、
前記最大入力電力データにもとづいて、増幅された入力音声信号の電力を、所定の制限値以下に制限するステップと、
前記スピーカ装置への増幅された入力音声信号の出力と、前記スピーカ装置への前記電源信号の出力と、前記スピーカ装置からの前記データ信号の受信とを、選択的に切り替えるステップとを有することを特徴とするスピーカ駆動装置の制御方法。
【請求項１０】
スピーカ駆動装置に接続可能なスピーカ装置の制御方法であって、
前記スピーカ駆動装置から受信した電源信号を直流信号に変換するステップと、
前記スピーカ装置の電気音響特性データ及び最大入力電力データの少なくとも何れかを記憶部に記憶するステップと、
前記直流信号を電源として、前記電気音響特性データ及び最大入力電力データの少なくとも何れかを前記記憶部より読み出して、前記スピーカ駆動装置にデータ信号として送信するステップとを有することを特徴とするスピーカ装置の制御方法。
【手続補正２】
【補正対象書類名】明細書
【補正対象項目名】００１０
【補正方法】変更
【補正の内容】
【００１０】
上記課題を解決するため、本発明のスピーカ駆動装置は、
スピーカ装置に接続可能なスピーカ駆動装置であって、
入力音声信号を増幅する増幅部と、
前記入力音声信号の電気音響特性を補正する補正部と、
前記スピーカ装置に送信する電源信号を出力する電源供給部と、
前記スピーカ装置から、前記スピーカ装置の電気音響特性データに係るデータ信号を受信する受信部と、
前記電気音響特性データにもとづいて前記入力音声信号の電気音響特性を補正するように前記補正部を制御する制御部と、
前記増幅部、前記電源供給部及び前記受信部の何れかと、前記スピーカ装置に接続される入出力部とを選択的に接続する選択部とを有することを特徴とする。
【手続補正３】
【補正対象書類名】明細書
【補正対象項目名】００１１
【補正方法】変更
【補正の内容】
【００１１】
本発明のスピーカ駆動装置は、
スピーカ装置に接続可能なスピーカ駆動装置であって、
入力音声信号を増幅する増幅部と、
前記増幅部の出力電力を制限する出力制限部と、
前記スピーカ装置に送信する電源信号を出力する電源供給部と、
前記スピーカ装置から、前記スピーカ装置の最大入力電力データに係るデータ信号を受信する受信部と、
前記最大入力電力データにもとづいて、増幅された入力音声信号の電力が所定の制限値以下になるように前記出力制限部を制御する制御部と、
前記出力制限部、前記電源供給部及び前記受信部の何れかと、前記スピーカ装置に接続される入出力部とを選択的に接続する選択部とを有することを特徴とする。
【手続補正４】
【補正対象書類名】明細書
【補正対象項目名】００１２
【補正方法】変更
【補正の内容】
【００１２】
本発明のスピーカ装置は、
スピーカ駆動装置に接続可能なスピーカ装置であって、
前記スピーカ駆動装置から受信した電源信号を直流信号に変換する電源変換部と、
前記スピーカ装置の電気音響特性データ及び最大入力電力データの少なくとも何れかを記憶する記憶部と、  前記直流信号を電源として、前記電気音響特性データ及び最大入力電力データの少なくとも何れかを前記記憶部より読み出して、前記スピーカ駆動装置にデータ信号として送信する送信部とを有することを特徴とする。